(57)【要約】【課題】  エリア型放送において、複数の送信局エリアが重複する領域において、各エリアに共通して送信するコンテンツについても、相互に受信の妨害波となるため、共通コンテンツの受信が困難となる。【解決手段】  本発明に係るエリア型放送用の送信システムは、共通コンテンツと非共通コンテンツの指示の入力インターフェースを有し、これらを区別する機能を有する。さらに、本発明に係る放送用の送信システムのＴＳ再多重化装置は、パケット配置制御部を有し、ＯＦＤＭの送信キャリアの内、共通のコンテンツを送信するキャリアと異なるコンテンツを送信するキャリアを分離して送信する機能を持つ。【選択図】図１
2008206113.tif 000002
【特許請求の範囲】
【請求項１】
複数のメディア情報が多重された複数のビットストリームを再多重し、再多重化後のビットストリームから各ビットを取り出し、指定された伝送パラメタ情報に従い、複数のビット情報を重畳したＯＦＤＭキャリアを複数生成するＯＦＤＭ変調を行うデジタル放送のＯＦＤＭ変調装置へ、該再多重化したビットストリームを出力するデジタル放送の再多重化装置において、
入力されたビットストリームに含まれるパケットを複数に分類するパケット分類情報を入力するコンテンツ選択指示入力部と、
前記ＯＦＤＭ変調装置の伝送パラメタ情報を入力する伝送パラメタ入力部と、
前記パケット分類情報と伝送パラメタ情報に基づいて、パケットを再配置するパケット分離制御部と
を備えることを特徴とするデジタル放送の再多重化装置。
【請求項２】
請求項１に記載のデジタル放送の再多重化装置において、
前記パケット分離制御部は、
前記パケット分類情報によって異なる分類となるパケットに含まれるビットが、同時に一つのＯＦＤＭキャリアに重畳されないように、パケットを再配置する
ことを特徴とするデジタル放送の再多重化装置。
【請求項３】
請求項２に記載のデジタル放送の再多重化装置において、
前記パケット分離制御部は、
前記ＯＦＤＭ変調装置における、パケット間のバイトを入れ替えるバイトインターリーブ処理，誤り訂正符号化を行う畳み込み符号化処理，ビットを入れ替えるビットインターリーブ処理のいずれの処理に対しても、異なる分類となるパケットに含まれるビットが、同時に一つのＯＦＤＭキャリアに重畳されないようにパケットを配置する
ことを特徴とするデジタル放送の再多重化装置。
【請求項４】
請求項３に記載のデジタル放送の再多重化装置において、
前記パケット分離制御部は、
ＯＦＤＭフレームの先頭となるパケットはデータを伝送しないパケットであり、固有の値をとるヌルパケットを配置し、
異なる分類となるパケット同士が連続しないように配置するか、もしくは異なる分類となるパケット間にヌルパケットを挿入し、
所定の分類のパケットを配置した位置から、バイトインターリーブの深さに基づいて定まるパケット数の位置にはヌルパケットもしくは、同じ分類のパケットを配置し、
前記所定の分類のパケットを配置した位置から、ビットインターリーブの遅延ビット数に基づいて定まるパケット数の位置にはヌルパケットもしくは、同じ分類のパケットを配置し、に重畳されないようにパケットを配置する
ことを特徴とするデジタル放送の再多重化装置。
【請求項５】
請求項１乃至４に記載のデジタル放送の再多重化装置において、
再多重化ＴＳのパケットの順番に従い、配置可能なパケットの分類を示す許容パケット種別保持部を備え、
前記パケット分離制御部は、該許容パケット種別保持部の内容に従ってパケット配置を制御し、
パケットを配置した時には、配置したパケットの種類によって前記許容パケット種別保持部の内容を変更する
ことを特徴とするデジタル放送の再多重化装置。
【請求項６】
請求項５に記載のデジタル放送の再多重化装置において、
再多重化したビットストリームと同期して、前記許容パケット種別保持部の内容を許容パケット種別情報として外部に出力する許容パケット種別送出部を有する
ことを特徴とするデジタル放送の再多重化装置。
【請求項７】
請求項１乃至４に記載のデジタル放送の再多重化装置において、
再多重化されたビットストリームを入力とし、
該再多重化されたビットストリームに同期した許容パケット種別情報を受信する許容パケット種別受信部を有し、
該許容パケット種別受信部は、受信した前記許容パケットを許容パケット種別保持部に保持し、
前記パケット分離制御部は、該許容パケット種別保持部の内容に従ってパケット配置を制御し、
パケットを配置した時には、配置したパケットの種類によって、前記許容パケット種別保持部の内容を変更する
ことを特徴とするデジタル放送の再多重化装置。
【発明の詳細な説明】
【技術分野】
【０００１】
デジタル放送の送信システムに係り、特に、２つ以上の送信局が、互いに送信電波が干渉する領域で、同一周波数チャンネルを用いて、異なるコンテンツと同一コンテンツを送信する際に、電波干渉の影響を低減するための技術に関する。
【背景技術】
【０００２】
地上デジタル放送は、ＯＦＤＭ（Orthogonal Frequency Division Multiplexing）伝送技術の採用により複数の送信所から同一の周波数チャンネルの放送を行うＳＦＮ(Single
Frequency Network)への対応が可能である。ＡＲＩＢ  ＳＴＤ−Ｂ３１によれば、ＳＦＮを実施するためには、各放送波間で、送信周波数における１Ｈｚ以内での同期、ＩＦＦＴサンプル周波数における許容偏差±０.３ppm以内の一致，送信波形の一致，送信タイミングの遅延時間差がガードインターバル以内、であることが条件として挙げられている。この条件を満たすことにより、あるエリア内で、複数の送信所から同一チャンネルの放送波が届いても、互いに妨害波とならずに端末によって受信可能となる。
【０００３】
一方、新しい放送の形態として、エリア型放送という放送方式が検討されている。エリア型放送は、出力を抑えて受信可能なエリアを通常の県域放送よりも小さく設定し、それぞれのエリアに固有の情報を放送することにより、エリアが異なれば異なる放送が受信できるようにしている。通常の放送では、隣接したエリアで同一チャンネルを用いる場合、放送内容は完全に一致したものでなければならず、異なるコンテンツを流すことができない。一方、隣接したエリアで異なるチャンネルを用いれば、それぞれのエリアで異なる内容の放送を流すことが可能であるが、端末側でエリアが変わったことを認識して受信チャンネルを変更する必要がある。これに対し、エリア型放送では、端末が受信エリア間を移動するのに従い、端末側の受信チャンネルを変更することなく、端末に異なるコンテンツを受信させることが可能となる。例えば、渋谷では、渋谷にある店舗のイベント情報を受信していたのと同じチャンネルを受信しながら、恵比寿に移動すれば恵比寿の店舗の特売情報がデータ放送により受信できる。一方で、映像，音声は、渋谷でも恵比寿でも同一のコンテンツを視聴できる。即ち、ユーザから見た場合、複数のエリアを移動したときに、映像，音声はエリアを気にせずに同じコンテンツを楽しみながら、データ放送は場所によって自動的に内容が変更され、その場所で必要な情報が入手可能となる。運用によっては映像，音声を切り替え、データ放送は同じものを放送するというパターンもありえる。
【０００４】
【特許文献１】特開平１０−０４１９０９号公報
【特許文献２】特開平０７−３２７０２３号公報
【発明の開示】
【発明が解決しようとする課題】
【０００５】
このようなエリア型放送を従来の地上デジタル放送のシステムを用いて実現した場合、次のような問題点がある。例えば、特開平０７−３２７０２３号公報に開示されるようなＯＦＤＭ送信装置および特開平１０−０４１９０９号公報に示される再多重化装置を組み合わせた従来の地上デジタル放送システムを用いた場合、渋谷エリアで送信する放送波と、恵比寿エリアで送信する放送波は、データ放送部分が異なるため、両者の波形が一致しない。従ってＳＦＮの条件を満たすことができず、ＳＦＮでの運用が不可能となる。このため、両者を同一チャンネルで送信した場合、一方の放送波が他方の放送波にとって雑音となり、相手の放送波の受信を妨げる要因となる。つまり、片方の電波のみであれば、受信に必要なＣＮ（コード対雑音比）が得られていた場所でも、もう一方の電波が届くことによりそれが雑音となり、ＣＮが確保できなくなってしまう。
【０００６】
逆に出力を小さくして両者とも届くような領域が存在しないようにエリアを設計しても、電波の物理的な性質から、ある場所を境にして急激に受信電力を落とすことは難しいため、両者とも放送波が届かない領域が発声してしまう。
【０００７】
今、入力映像および音声が共通コンテンツであり、データ放送のための入力データが非共通コンテンツであるとした場合、従来のデジタル放送の送信局においては、入力された映像，音声，データはそれぞれ符号化され、ビットストリームであるＴＳ（Transport 
Stream）に変換される。これら映像，音声，データのＴＳは１つのＴＳに多重化される。多重化されたＴＳは更に、それぞれ定められた階層に分けて送信するため、ＴＳ再多重化装置により１つのＴＳに再多重化される。この再多重化後のＴＳパケット位置により、各ＴＳパケットのデータビットがどのタイミングで、どのキャリアに重畳されて送信されるかが決定される。さらに、バイトインターリーブ化により、あるＴＳパケットデータは他のＴＳパケットデータとシャッフルされ、畳み込み符号化により、混合演算処理が行われ、キャリア変調において、一つのキャリアに複数のＴＳパケットのビットデータにより変調が施される。
【０００８】
このように従来のデジタル放送の送信局におけるＴＳ再多重化装置では、入力された映像，音声，データのビットレート等の調整により、出力ＴＳにおける各ＴＳパケット位置が定められるため、共通コンテンツに属するＴＳパケットのビットと、非共通コンテンツに属するＴＳパケットのビットが、最終的に同一のキャリアに変調されない保証がない。このため、共通コンテンツに属するＴＳパケットに含まれるデータのみにより演算されたビットのみにより変調されたキャリアは、ＳＦＮ条件を満たすことが可能であるが、非共通コンテンツに属するＴＳパケットに含まれるデータが混在したキャリアでは、波形が異なるため、ＳＦＮ条件を満たすことができない。そしてこのようなキャリアには、共通コンテンツのデータが含まれるにもかかわらず、そのキャリアのデータの再生は困難となってしまう。
【０００９】
以上のように、エリア型放送において、隣接したエリアを形成する場合、従来の地上デジタル放送システムを用いると、両方の放送波のどちらも受信不能となる領域が発生してしまうという課題がある。
【課題を解決するための手段】
【００１０】
このような課題に対して、本発明に係るエリア型放送用の送信システムは、共通コンテンツと非共通コンテンツの指示の入力インターフェースを有し、これらを区別する機能を有する。
【００１１】
さらに、本発明に係るエリア型放送用の送信システムのＴＳ再多重化装置は、パケット配置制御部を有し、ＯＦＤＭの送信キャリアのうち、共通のコンテンツを送信するキャリアと異なるコンテンツを送信するキャリアを完全に分離して送信する機能を持つ。
【００１２】
前記パケット配置制御部は、エリアの重複があるエリア型放送の送信装置のパケット配置制御部で同期を取り、互いに同じ位置に共通コンテンツに含まれるＴＳパケットを配置することを特徴とする。
【００１３】
共通コンテンツに割り当てるキャリアと非共通コンテンツに割り当てるキャリアを送信装置間で正しく分離ならびに一致させるために、本発明に係るパケット配置制御部は、
ＴＳを再多重する際に、複数の送信局間で相互に同期をとり、共通コンテンツのＴＳパケット位置を正確に合わせる。
【００１４】
このようにすることにより、共通コンテンツに属するＴＳパケットは、複数の送信局間で、ＴＳ中の同じ位置に配置され、同じデータが同じキャリアに同じタイミングで送信することが可能となる。
【００１５】
また、本発明に係る再多重化装置は、再多重化後のＴＳにおいて、多重フレームの先頭のＴＳパケットはヌルパケットとし、あるＴＳパケットが共通コンテンツに含まれるＴＳパケットである場合、その直前および直後、さらに１１個後ろもしくは、別途規定する禁止パケット数だけ後ろに存在するＴＳパケットはやはり共通コンテンツのＴＳパケットもしくはヌルパケットであるように多重化し、一方、あるＴＳパケットが非共通コンテンツに含まれるＴＳパケットである場合、その直前および直後、さらに１１個後ろもしくは、別途規定する禁止パケット数だけ後ろに存在するＴＳパケットはやはり非共通コンテンツのＴＳパケットもしくはヌルパケットであるように多重化することを特徴とする。
【００１６】
このようにすることにより、バイトインターリーブ，畳み込み符号化，キャリア変調による、共通コンテンツのビットと非共通コンテンツのビットとの混合演算が発生することなく、送信することが可能となる。
【発明の効果】
【００１７】
本発明によれば、共通コンテンツに属するＴＳパケットは、複数の送信局間で、ＴＳ中の同じ位置に配置され、同じデータが同じキャリアに同じタイミングで送信することが可能となる効果がある。
【００１８】
本発明によれば、バイトインターリーブ，畳み込み符号化，キャリア変調による、共通コンテンツのビットと非共通コンテンツのビットとの混合演算が発生することなく、送信することが可能となる。
【発明を実施するための最良の形態】
【００１９】
以下、図面を用いて本発明を用いたＴＳ再多重化装置の実施例を説明する。
【実施例１】
【００２０】
図１に、本発明にを用いたＴＳ再多重化装置１００の構成図を示す。ＴＳ再多重化装置１００は、映像，音声，データが多重化された複数のＴＳの入力を受け付ける。受け付けたＴＳをバッファリングする入力バッファ１０１は、ＴＳパケット単位でＴＳを保持し、パケット配置制御部１０２の要求に応じてＴＳパケットを逐次出力する。ここで、入力されるＴＳのビットレートは、全てを合計したときに出力するＴＳのビットレートを越えることが無い様に調整されているものとする。
【００２１】
図２にＴＳパケットのデータ構造の概略を示す。ＴＳパケット３０１は、４バイトのヘッダ部と、１８４バイトのデータ部を基本構成とする。ヘッダ部は、１バイトの固定値
（１６進数で４７）である同期バイト３０２と、１３ビットのＰＩＤ３０３と呼ばれる
ＩＤを含む。ＰＩＤ３０３は、データ部に含まれるデータの種類を表す。映像や、音声，データには、ＰＩＤ３０３が割り振られ、同一のＰＩＤ３０３を持つＴＳパケットを集めることにより元の映像や、音声，データを再構築することができる。また、ＴＳパケットには、１６バイトのパリティ部３０５を持つことができる。
【００２２】
パケット配置制御部１０２は、入力バッファ１０１への到着順にＴＳパケットを入力バッファ１０１から取り出し、順次出力していく。同時に到着したＴＳパケットがある場合は、いずれか一方をずらして出力する。この時ずらしたＴＳパケットが、ＰＣＲ(ProgramReference Clock)を含むＴＳパケットの場合は、ずらした後のＴＳパケット位置におけるＰＣＲを再計算し、内容を変更する。また、前提条件として、入力される各ＴＳのビットレートを合計した時に出力するＴＳレートを満たないため、出力タイミングでＴＳパケットが存在しない場合がある。この時には、ヌルパケットを挿入して、ＴＳパケットが連続的に出力されるように調整を行う。ヌルパケットとは、ＰＩＤ３０３が０ｘ１ＦＦＦに固定され、データ部が０ｘＦＦで埋め尽くされるＴＳパケットを意味する。
【００２３】
パケット分離制御部１は、パケット配置制御部１０２からの出力を入力とし、複数のエリアで共通した放送内容である共通コンテンツに含まれるＴＳパケットと、エリア毎に独自の放送内容である非共通コンテンツに含まれるＴＳパケットを分離し、同一のキャリアに変調されないように維持する機能を持つ。パケット分離制御部１は、共通コンテンツリスト１１０および非共通コンテンツリスト１１１を持つ。各リストのいずれか一方には、入力されるＴＳに含まれるヌルパケット以外の全てのＰＩＤがリストとして保持される。
【００２４】
コンテンツ選択指示入力部２は、コンテンツ分類データを入力とし、共通コンテンツリスト１１０および、非共通コンテンツリスト１１１を生成してパケット分離制御部に渡す。なお、実際には片方に含まれなければ、もう一方に含まれることになるので、１１０もしくは１１１のいずれか一方だけのリストを保持すればよい。
【００２５】
伝送パラメタ入力部は、当該階層の伝送パラメタ情報を入力とし、禁則情報１２０を生成し、パケット分離制御部１へ出力する。禁則情報１２０は、禁止パケット位置のリストとして定義される。禁止パケット位置とは、再多重化ＴＳにおいて、あるＴＳパケット位置に配置されたパケットが共通コンテンツであった場合、当該ＴＳパケット位置から、禁止パケット位置だけ後ろに存在するＴＳパケット位置には、ヌルパケットもしくは共通コンテンツのＴＳパケットのみ存在し得る事を示す。同様に再多重化ＴＳにおいて、ある
ＴＳパケット位置に配置されたパケットが非共通コンテンツであった場合、当該ＴＳパケット位置から、禁止パケット位置だけ後ろに存在するＴＳパケット位置には、ヌルパケットもしくは非共通コンテンツのＴＳパケットのみ存在し得る事を示す。
【００２６】
禁則情報１２０には、１，１１が必ず含まれる。これは、バイトインターリーブの制約により、１つ後ろに存在するＴＳパケットと、１１個後ろに位置するＴＳパケットは必ず畳み込み符号化処理において、同時に演算処理が実施されるためである。
【００２７】
再多重化されたＴＳは、バイトインターリーブ化処理によって、１バイト毎に分割したＴＳパケットを、複数のＴＳパケット間で順番を入れ替える。バイトインターリーブ化処理では、１バイト毎に分割された各ＴＳパケットのデータを、順次、０バイト分（遅延なし），１７バイト分，１７×２バイト分，１７×３バイト分と、１７バイト単位で遅延量が多くなり、１７×１１バイト分まで遅延させて出力に現れる。ＴＳパケット１つが、
２０４バイト＝１７バイト×１２であることから、最初のＴＳパケットの入力が終了すると、出力には、１７バイト分表れ、次のＴＳパケットの入力が終了すると、出力には、最初のＴＳパケットの１７バイトと、遅延無しで出力に現れる２つ目のＴＳパケットの１７バイト分が、交互に現れる。以下同様にして、３つ目のＴＳパケットの入力が終了した時点では、最初のＴＳパケットの１７バイト、２個目のＴＳパケットの１７バイト、３個目のＴＳパケットの１７バイトが、１バイトずつ折り重なるように出力される。最初のＴＳパケットに含まれるバイトは、１２番目のＴＳパケットの入力が終了するまで出力に含まれ、１３番目のＴＳパケットの入力開始以降には含まれない。以上の処理により、出力では、ＴＳパケット間でバイトの入れ替え処理が行われ、あるＴＳパケットの１つのバイトは、入力において、前後（１個前、または１個後）に存在するＴＳパケットか、あるいは１１個前、もしくは１１個後ろに存在するＴＳパケットのバイトと隣り合う可能性がある。
【００２８】
またバイトインターリーブ化されたＴＳパケットに対しては、拘束長ｋ＝７とするパンクチャード畳み込み符号による畳み込み符号化処理が行われる。拘束長ｋ＝７であるため、あるビットにおける畳み込み符号化の影響は、前後６ビットに及ぶこととなる。すなわち、バイトインターリーブ後のビットストリーム中のある１バイト（連続した８ビット）について、畳み込み符号化処理を実施すると、その直前のバイトのＬＳＢ６ビット分と、その直後のバイトＭＳＢ６ビット分のデータによる影響を受ける。符号化率が２／３であれば、１バイト即ち８ビットの入力に対し、８／（２／３）＝１２ビットの信号伝送系列として出力されることとなる。
【００２９】
そのため、禁則情報１２０で１つ後ろと１１個後ろの位置を禁止することにより、畳み込み符号化処理による共通コンテンツと非共通コンテンツの混合を避けることができる。
【００３０】
また、１，１１に加えて、禁則情報１２０には、ＴＳパケットを送信する階層における変調方式と符号化率により決まる禁止パケット位置を加える必要がある。これは、キャリア変調による変調方式毎のマッピングにおけるビットインターリーブにより、同一キャリアにマッピングされるＴＳパケットの位置関係が異なることに対応している。
【００３１】
映像，音声，データが多重化されたＴＳは、それぞれ定められた階層に分けられて送信される。ＡＲＩＢにより定められたデジタル放送の規格では、周波数帯域を１４等分したそれぞれをＯＦＤＭセグメントと呼び、ＯＦＤＭセグメント単位でキャリアの変調方式や、誤り訂正の符号化方式などのパラメタが変更可能である。ＡＲＩＢ規格では、最大３種類のパラメタセットが適用可能であり、これを階層と呼ぶ。実際の運用では、階層は、３階層とは限らず、１階層でも２階層でもよいが、以下の説明ではＴＳ再多重化装置に入力されるＴＳは、それぞれ異なる階層として送られるものとする。
【００３２】
図３に、禁則情報を生成するためのテーブル６０１を示す。これは、階層における変調方式６０２，階層における符号化率６０４，各変調方式におけるマッピング処理の遅延ビット数６０３の組み合わせにおける、禁止パケット位置６０５を示したものである。禁止パケット位置とは、例えば、変調方式がＱＰＳＫで、符号化率が２／３である場合、あるＴＳパケットが共通コンテンツもしくは、非共通コンテンツであった場合、そのＴＳパケット位置の１０パケット後には、ヌルパケットもしくは同じ種別のパケットしか配置することができない、あるいは、変調方式が６４ＱＡＭで、符号化率が７／８であった場合、遅延ビット数に応じた３，６，８，１１，１４だけ後ろにあるＴＳパケット位置には、同じ種別のパケットか、ヌルパケットしか配置することができない、といったパケット位置のことである。
【００３３】
クロック同期部１０４は、外部からのリファレンスクロックを入力し、出力ＴＳのタイミングを保証する。
【００３４】
出力バッファ１０３は、再配置されたＴＳパケットを保持し、クロック同期部１０４に入力されるリファレンスクロックに従って、順番に再多重化ＴＳとして出力する。また、出力バッファ１０３は、再配置された各ＴＳパケットを保持するＴＳパケット保持部1031と、ＴＳパケット保持部１０３１のそれぞれのＴＳパケット保持位置に対して保持可能なパケット種別を記録する許容パケット種別保持部１０３２を持つ。ＴＳパケット保持部
１０３１は、ＴＳパケットを出力するとクリアされ、対応する許容パケット種別保持部
１０３２の設定は、パケット分離制御部１が変更する。許容パケット種別保持部１０３２は、少なくとも、「ヌルパケットのみ保持可能」，「ヌルパケットもしくは共通コンテンツのＴＳパケットが保持可能」，「ヌルパケットもしくは非共通コンテンツのＴＳパケットが保持可能」，「いずれのパケットも保持可能」の４種類の状態を保持可能とする。初期値、もしくはリセットが掛かった状態では、「いずれのパケットも保持可能」とする。
【００３５】
パケット分離制御部１は、図４に示すような処理フローにより動作する。ステップ701は、パケット分離制御部１における処理の開始を示す。ステップ７０２は、入力バッファ１０１からＴＳパケットを１個入力する処理を示す。
【００３６】
ステップ７０３は、入力バッファ１０１から入力されたＴＳパケットがヌルパケットか否かを調べる。ヌルパケットであれば、ステップ７０８へ進む。ヌルパケットでなければ、ステップ７０４へ進む。ステップ７０４は、現在のＴＳパケット出力位置が、ＯＦＤＭフレームの先頭であるか否かを調べる。もし先頭であれば、ステップ７２０へ進む。そうでなければ、ステップ７０５へ進む。ここで、現在のＴＳパケット出力位置とは、出力バッファ１０３にＴＳパケットを出力した時に保持されるＴＳパケット保持部１０３１におけるＴＳパケット位置を示す。
【００３７】
ステップ７０５では、現在のＴＳパケット出力位置の許容パケット種別を取得する。許容パケット種別とは、共通コンテンツもしくはヌルパケットが出力可能であるか、非共通コンテンツもしくはヌルパケットが出力可能であるかを示すものである。出力バッファ
１０３のＴＳ保持位置毎に対応して許容パケット種別保持部１０３２に持つ。ステップ
７０６では、入力されたＴＳパケットのパケット種別を調べる処理を行う。このＴＳパケットのＰＩＤ３０３が共通コンテンツリスト１１０に含まれるか、非共通コンテンツリスト１１１に含まれるかを調べることにより可能となる。ステップ７０７は、許容パケット種別保持部１０３２から取得した許容パケット種別と入力されたＴＳパケットのＴＳパケット種別とを比較し、許容パケット種別にこのＴＳパケット種別が含まれるか否かを調べる。もし、含まれていれば、ステップ７０８に進み、含まれていなければステップ７２２に進む。
【００３８】
ステップ７０８では、入力されたＴＳパケットを出力バッファ１０３へ出力する。ステップ７０９では、そのＴＳパケットを出力バッファ１０３へ出力したことにより、変化する出力バッファ１０３の許容パケット種別保持部１０３２における許容パケット種別の設定を実施する。この処理については、別途詳細に説明する。許容パケット種別の設定後、ステップ７０２に戻り、次のＴＳパケットを入力する。
【００３９】
ステップ７２０では、ヌルパケットを１個生成し、出力バッファ１０３へ出力する。ステップ７２１では、ステップ７０９と同様に、ヌルパケットを出力バッファ１０３へ出力したことによる出力バッファ１０３の許容パケット種別保持部１０３２における許容パケット種別の設定を実施する。なお、本ヌルパケットを出力した位置に対応する許容パケット種別は「ヌルパケットのみ保持可能」となる。ステップ７２２では、当該ＴＳパケットの出力位置を変更する処理を実施する。すなわち、次のＴＳパケット位置に配置可能か否かについての処理を、ステップ７０３に戻り繰り返す。
【００４０】
次に、ステップ７０９またはステップ７２１における許容パケット種別の設定処理について、図５を用いて説明する。ステップ８０１はこの処理の開始を示す。ステップ８０２は、出力バッファ１０３に出力したＴＳパケットがヌルパケットであるか否かを調べ、ヌルパケットである場合には、ステップ８１０に進み、ヌルパケットでない場合は、ステップ８０３に進む。ステップ８１０は処理の終了を示す。ステップ８０３では、出力バッファ１０３に出力したＴＳパケットの種別が共通コンテンツか、非共通コンテンツかを、
ＴＳパケットのＰＩＤ３０３が共通コンテンツリスト１１０に含まれるか非共通コンテンツリスト１１１に含まれるかを調べることにより判断する。共通コンテンツの場合はステップ８０５へ、非共通コンテンツの場合はステップ８０４へ進む。
【００４１】
ステップ８０４では、現在のＴＳパケット出力位置から見て禁則情報１２０に含まれる全ての相対パケット位置にあるＴＳパケット位置について、それらの位置のＴＳパケットの許容パケット種別を「ヌルパケットもしくは、非共通コンテンツを保持可能」に変更する。ただし、変更しようとした許容パケット種別が「いずれのパケットも保持可能」でない場合は、「ヌルパケットのみ保持可能」に変更する。
【００４２】
一方、ステップ８０５では、現在のＴＳパケット出力位置から見て禁則情報１２０に含まれる全ての相対パケット位置にあるＴＳパケット位置について、それらの位置のＴＳパケットの許容パケット種別を「ヌルパケットもしくは、共通コンテンツを保持可能」に変更する。ただし、変更しようとした許容パケット種別が「いずれのパケットも保持可能」でない場合は、「ヌルパケットのみ保持可能」に変更する。
【００４３】
ステップ８０４およびステップ８０５を実行後は、ステップ８１０へ進み、処理を終了する。
【００４４】
以上のように再多重化され出力された再多重化ＴＳは、畳み込み符号化される。そして、冗長化された伝送信号系列は、変調方式により規定されるビットインターリーブ方式によりＯＦＤＭキャリアにマッピングされる。そして周波数インターリーブ化した信号から、ＯＦＤＭフレームを構成する。ＯＦＤＭフレームとは、２０４個のＯＦＤＭシンボルからなる伝送の単位である。伝送パラメタの設定により、一つのＯＦＤＭフレームに含まれるＴＳパケットの数が決まる。生成されたＯＦＤＭフレームをＩＦＦＴ(Inverse Fast 
Fourier Transform)を行い、各セグメントを所定の位置に配置し、ガードインターバルを付加して、所定の周波数にアップコンバートして空中線から放射する。
【００４５】
以上のようにして、本発明の実施例に示すＴＳ再多重化装置により、各キャリアにおいて、共通コンテンツのＴＳパケットデータと、非共通コンテンツのＴＳパケットデータとが混在することとが無く、分離されたキャリアマッピングで送信することが可能となる。
【００４６】
そして共通コンテンツと非共通コンテンツでキャリアを分離し、なおかつキャリア位置・タイミング一致させて送信することが可能となる。
【００４７】
またキャリア分離により、共通コンテンツを送信するキャリア間ではＳＦＮの条件を満たしているため、両者の電波を混合して受信しても、データの再生が可能となる。その一方で、非共通コンテンツを送信するキャリア間では、ＳＦＮの条件を満たさないため、混合して受信した場合には、データの再生ができないが、その影響が共通コンテンツを搬送するキャリアに及ぼさないようにすることが可能となる。
【００４８】
従って、非共通コンテンツのマッピングされたキャリア以外では、ＳＦＮ条件を満たすことができ、複数の局からの電波が届いても、正しく復調することが可能となる。
【実施例２】
【００４９】
図６に本発明のもう一つの実施の形態を示す。図６に示されるＴＳ再多重化装置９１０は、図１に示されるＴＳ再多重化装置１００に比べて、ＴＳ入力に、再多重化後のＴＳを含むことと、許容パケット種別入力部４を含む点が異なる。
【００５０】
ＴＳ再多重化装置１００およびＴＳ再多重化装置９１０は、図７に示すような接続により使用する。すなわち、ＴＳ再多重化装置１００は、ＴＳを入力として、再多重化ＴＳを出力する。この再多重化ＴＳは、ＯＦＤＭ変調装置９０１へ入力され、放送波が出力され、一つのエリア型放送局を実現する。
【００５１】
またこの再多重化ＴＳは、同時にＴＳ再多重化装置９１０に入力される。また、ＴＳ再多重化装置９１０には、差替え用の非共通コンテンツのＴＳが入力される。また、ＴＳ再多重化装置１００は、再多重化ＴＳと同期して、許容パケット種別保持部１０３２の内容を許容パケット種別情報９１１として外部に出力し、この許容パケット種別情報９１１もＴＳ再多重化装置９１０の入力となる。ＴＳ再多重化装置９１０から出力される再多重化ＴＳは、ＯＦＤＭ変調装置９０１に入力され、放送電波として出力される。
【００５２】
ＴＳ再多重化装置９１０を構成する許容パケット種別入力部４は、ＴＳ再多重化装置
１００が出力する許容パケット種別情報９１１を受信し、再多重化ＴＳの入力に同期して、ＴＳ再多重化装置９１０の出力バッファ１０３における許容パケット種別情報の内容を書き換える。
【００５３】
ＴＳ再多重化装置９１０のパケット配置制御部１０２は、再多重化ＴＳ入力に含まれる非共通パケットをヌルパケットに置き換え、さらに、入力されるＴＳのパケットを挿入する処理を行う。
【００５４】
次に、パケット分離制御部１では、パケット配置制御部１０２の出力と、出力バッファ１０３の許容パケット種別情報の内容を比較し、許容パケット種別情報に矛盾しないように、非共通コンテンツのＴＳパケットの位置をずらし、もしくはヌルパケットを挿入する。すなわち、共通コンテンツのＴＳパケットの占める位置および、「ヌルパケットのみ保持可能」となっているヌルパケットは、ずらしたり、非共通コンテンツのＴＳパケットに置き換えたりということをしない。また、「ヌルパケットもしくは共通コンテンツのみ保持可能」となっている位置に、非共通コンテンツが配置される場合は、その位置をずらす。
【００５５】
以上のように構成することにより、共通コンテンツと非共通コンテンツのマッピングされるキャリアを分離できる。これにより共通コンテンツのマッピングされるキャリアについては、ＳＦＮ条件を満たすことが可能となり、受信機は、共通コンテンツは混信することなく受信可能となる。
【図面の簡単な説明】
【００５６】
【図１】本発明に係るデジタル放送システムの再多重化装置の実施例を示す図である。
【図２】デジタル放送のＴＳパケットの構成を示す図である。
【図３】変調方式および符号化率と、禁止パケット位置との関係を示す図である。
【図４】パケット分離制御部の処理を説明するフロー図である。
【図５】許容パケット種別の設定処理を説明するフロー図である。
【図６】本発明に係るデジタル放送システムの他の再多重化装置の実施例を示す図である。
【図７】発明に係るデジタル放送システムの構成例を示す図である。
【符号の説明】
【００５７】
１  パケット分離制御部
２  コンテンツ選択指示入力部
３  伝送パラメタ入力部
４  許容パケット種別入力部
１００，９１０  ＴＳ再多重化装置
１０１  入力バッファ
１０２  パケット配置制御部
１０３  出力バッファ
１０４  クロック同期部
９０１  ＯＦＤＭ変調装置
【図１】
2008206113.tif 000003
【図２】
2008206113.tif 000004
【図３】
2008206113.tif 000005
【図４】
2008206113.tif 000006
【図５】
2008206113.tif 000007
【図６】
2008206113.tif 000008
【図７】
2008206113.tif 000009